【事件の表示】
　特願２００５−２２２４９０「保持構造、インクカートリッジ及びそれらの製造方法」拒絶査定不服審判事件〔平成１９年　２月１５日出願公開、特開２００７−　３８４３２〕について、次のとおり審決する。
【結　論】
　本件審判の請求は、成り立たない。
【理　由】
第１　手続の経緯 
　本願は、平成１７年８月１日の特許出願であって、拒絶理由通知に応答して平成１７年１２月２６日付けで手続補正がされたが、平成１８年１月２５日付けで拒絶査定がされ、これを不服として同年３月２日付けで審判請求がされるとともに、同年４月３日付けで特許請求の範囲及び明細書についての手続補正がされたものである。
　　　 
第２　平成１８年４月３日付けの手続補正についての補正却下の決定
［補正却下の決定の結論］
　平成１８年４月３日付けの手続補正（以下、「本件補正」という。）を却下する。
［理由］
１．本件補正の内容
　本件補正における特許請求の範囲についての補正は、補正前（平成１７年１２月２６日付け手続補正書参照）に
「　【請求項１】
　熱可塑性樹脂のインクカートリッジに設けられたインク吐出部の孔内にインク供給針に対して密接するパッキンを保持するための保持構造であって、
　前記インク吐出部の前記パッキンを保持する先端部自体を軟化させることにより形成され、その孔の内方に張り出す保持部を含む、保持構造。
　　【請求項２】
　さらに、前記先端部の軟化と同時に前記先端部に熱溶着された前記孔を覆うフィルム片を含む、請求項１に記載の保持構造。
　　【請求項３】
　熱可塑性樹脂のインクカートリッジに設けられたインク吐出部の孔内にインク供給針に対して密接するパッキンを保持するための保持部の形成方法であって、
　盛り上がった先端部を有するインク吐出部を備えるインクカートリッジを準備すること、
　前記インク吐出部の孔内にパッキンを差し込むこと、
　前記インク吐出部の前記パッキンを保持する先端部自体に熱圧を加えること、
　これにより、前記先端部の一部分が前記孔の内方に張り出すまでこれを軟化させることを含む、保持部形成方法。
　　【請求項４】
　前記インク吐出部の先端部に熱圧を加えることは、前記先端部に加熱されたヘッドを押
し当てることを含む、請求項３に記載の方法。
　　【請求項５】
　熱可塑性樹脂のインクカートリッジに設けられたインク吐出部の孔内にインク供給針に対して密接するパッキンを保持するための保持部の形成方法であって、
　盛り上がった先端部を有するインク吐出部を備えるインクカートリッジを準備すること、
　前記インク吐出部の孔内にパッキンを差し込むこと、
　前記インク吐出部の先端部上にその孔を覆うフィルム片を配置すること、
　前記インク吐出部の前記パッキンを保持する先端部自体に前記フィルムを介して熱圧を加えること、
　これにより、前記フィルム片が前記先端部に熱溶着されかつ前記先端部の一部分が前記孔の内方に張り出すまでこれを軟化させることを含む、保持部形成方法。
　　【請求項６】
　前記インク吐出部の先端部に熱圧を加えることは、前記先端部に前記フィルムを介して加熱されたヘッドを押し当てることを含む、請求項５に記載の保持部形成方法。
　　【請求項７】
　インクカートリッジに設けられ、相対的に挿入されるインク供給針に対して圧縮保持する弾性のパッキンに対するストッパーを有する保持構造であって、
　前記パッキンよりも前記インク供給針の挿入側であって前記パッキンを保持する熱可塑性樹脂のインク吐出部と、
　この熱可塑性樹脂のインク吐出部自体を軟化成形することで前記パッキンを前記ストッパーに対して圧縮保持するための張り出す保持部と、を含む保持構造。
　　【請求項８】
　さらに、前記先端部の軟化とともに前記先端部に熱溶着された前記インク吐出部を覆うインク漏れ出し防止用フィルムを含む、請求項７に記載の保持構造。
　　【請求項９】
　前記パッキンは、前記インク吐出部内面に対して密着性を向上する凸部を有しており、前記張り出し保持部によってこの密着性が向上されていることを特徴とする請求項７または請求項８に記載の保持構造。
　　【請求項１０】
　インクを収納するためのインク収納部と、インク吐出部に設けられ、相対的に挿入されるインク供給針に対して圧縮保持する弾性のパッキンに対するストッパーを含む保持構造と、を有するインクカートリッジにおいて、　
　前記保持構造は、前記パッキンを保持する熱可塑性樹脂のインク吐出部と、前記パッキンよりも前記インク供給針の挿入側に位置しかつこの熱可塑性樹脂のインク吐出部自体を軟化成形することで前記パッキンを前記ストッパーに対して圧縮保持する張り出し保持部
と、を含むことを特徴とするインクカートリッジ。
　　【請求項１１】
　前記インク収納部に収納されたインクと、前記先端部の軟化ともに前記先端部に熱溶着された前記インク吐出部を覆うインク漏れ出し防止用フィルムと、を含むことを特徴とする請求項１０に記載のインクカートリッジ。
　　【請求項１２】
　前記パッキンは、前記インク吐出部内面に対して密着性を向上する凸部を有しており、前記張り出し保持部によってこの密着性が向上されている請求項１０または請求項１１に記載のインクカートリッジ。
　　【請求項１３】
　インクを収納するためのインク収納部と、インク吐出部に設けられ、相対的に挿入されるインク供給針に対して圧縮保持する弾性のパッキンに対するストッパーを含む保持構造と、を有するインクカートリッジの製造方法において、
　前記ストッパーに対して前記熱可塑性樹脂のインク吐出部内に挿入され前記インク吐出部が保持しているパッキンを、前記熱可塑性樹脂のインク吐出部自体を軟化成形して前記ストッパーに対して圧縮保持するための張り出し保持部を前記保持構造に形成すること、を含むことを特徴とするインクカートリッジの製造方法。
　　【請求項１４】
　前記熱可塑性樹脂のインク吐出部を軟化形成する際に、前記インク吐出部の先端部上にインク漏れ出し防止用フィルムを予め配置し、前記インク吐出部の先端部に前記フィルムを介して熱圧を加えることを含む請求項１３に記載のインクカートリッジの製造方法。
　　【請求項１５】
　前記パッキンは、前記インク吐出部内面に対して密着性を向上する凸部を有しており、前記張り出し保持部によってこの密着性が向上されている請求項１３または請求項１４に記載のインクカートリッジの製造方法。
」
とあったものを、 
「　【請求項１】
　熱可塑性樹脂のインクカートリッジに設けられた熱可塑性樹脂のインク吐出部の孔内にインク供給針に対して密接するパッキンを保持するための保持構造であって、
　前記インク吐出部全周の先端を軟化させ内径側に成長変形せしめることにより形成されており、その孔の内方に張り出す保持部を含む、保持構造。
　　【請求項２】
　さらに、前記先端の軟化と同時に前記保持部に熱溶着された前記孔を覆うフィルム片を含む、請求項１に記載の保持構造。
　　【請求項３】
　熱可塑性樹脂のインクカートリッジに設けられたインク吐出部の孔内にインク供給針に対して密接するパッキンを保持するための保持部の形成方法であって、
　盛り上がった先端部を有するインク吐出部を備えるインクカートリッジを準備すること、
　前記インク吐出部の孔内にパッキンを差し込むこと、
　前記インク吐出部全周の先端自体に熱圧を加えること、
　これにより、前記先端の一部分が前記孔の内方に張り出すまでこれを軟化させて、前記パッキンを保持する保持部を孔全周に形成することを含む、保持部形成方法。
　　【請求項４】
　前記インク吐出部の先端に熱圧を加えることは、前記先端に加熱されたヘッドを押し当てることを含む、請求項３に記載の方法。
　　【請求項５】
　熱可塑性樹脂のインクカートリッジに設けられたインク吐出部の孔内にインク供給針に対して密接するパッキンを保持するための保持部の形成方法であって、
　盛り上がった先端部を有するインク吐出部を備えるインクカートリッジを準備すること、
　前記インク吐出部の孔内にパッキンを差し込むこと、
　前記インク吐出部の先端部全周の先端上にその孔を覆うフィルム片を配置すること、
　前記インク吐出部の前記パッキンを保持する先端部の先端上前記フィルム片を介して熱圧を加えること、
　これにより、前記先端の一部分が前記孔の内方に張り出すまでこれを軟化させて、前記パッキンの保持部を孔全周に形成すると共に前記フィルム片がこの保持部に熱溶着されることを含む、保持部形成方法。
　　【請求項６】
　前記インク吐出部の先端部の先端に熱圧を加えることは、前記フィルム片に加熱されたヘッドを押し当てることを含む、請求項５に記載の保持部形成方法。」
と補正するものである。 
 　 
　ここで、本件補正前後の請求項の対応関係をみるに、補正前後の記載内容の共通性から、補正前の請求項１〜６は、補正後の請求項１〜６にそれぞれ対応する。
　補正前の請求項７〜１５に対応する請求項は、補正後には存在しない。
　
　本件補正には、特許請求の範囲の請求項１の補正として以下の補正事項を含む。
補正事項（１）
　補正前の「熱可塑性樹脂のインクカートリッジに設けられたインク吐出部」を、補正後に「熱可塑性樹脂のインクカートリッジに設けられた熱可塑性樹脂のインク吐出部」とする補正。　
　
補正事項（２）
　補正前に「前記インク吐出部の前記パッキンを保持する先端部自体を軟化させることにより形成され、その孔の内方に張り出す保持部」とあったのを、補正後に「前記インク吐出部全周の先端を軟化させ内径側に成長変形せしめることにより形成されており、その孔の内方に張り出す保持部」とする補正。
　 　 
２．本件補正の目的 
補正事項（１）について
　補正事項（１）は、「インク吐出部」の材質の限定である。
　
補正事項（２）について
　軟化する対象が、補正前には「前記インク吐出部の前記パッキンを保持する先端部」であったのが、補正後には「前記インク吐出部全周の先端」とされていて、「前記パッキンを保持する」との記載は削除されている。
　しかし、補正の前も後も請求項１記載の発明では「パッキンを保持するための保持構造であって」との前提があることから、インク吐出部を軟化させて形成される「保持部」はパッキンを保持するのであり、保持部の先端部同様保持部全周の先端も、「前記パッキンを保持する」と明記されていなくても、パッキンを保持するものである。
　すると、補正事項（２）は、保持部の形成に関し、軟化させる場所をインク吐出部全周の先端に限定し、形成の仕方を内径側に成長変形せしめると限定したことに相当する。
　
　よって、補正事項（１）、（２）は、全体として、発明を特定するために必要な事項を限定するものであり、平成１８年法律第５５号改正附則第３条第１項によりなお従前の例によるとされる同法による改正前の特許法第１７条の２第４項第２号に掲げる特許請求の範囲の減縮を目的とするものに該当する。
　そこで、本件補正後の請求項１に係る発明が、特許出願の際に独立して特許を受けることができるものであるかどうか（ 平成１８年法律第５５号改正附則第３条第１項によりなお従前の例によるとされる同法による改正前の特許法第１７条の２第５項において準用する同法第１２６条第５項に規定する要件を満たすか否か）について検討する。
　
３．独立特許要件について 
（１）本願補正発明の認定 
　本件補正後の請求項１に係る発明は、本件補正後の請求項１に記載された以下のとおりのものと認める。
「熱可塑性樹脂のインクカートリッジに設けられた熱可塑性樹脂のインク吐出部の孔内にインク供給針に対して密接するパッキンを保持するための保持構造であって、
　前記インク吐出部全周の先端を軟化させ内径側に成長変形せしめることにより形成されており、その孔の内方に張り出す保持部を含む、保持構造。」（以下、「本願補正発明」という。） 
 　 
（２）引用例記載内容の認定
　原査定の拒絶理由通知で引用され、本願の出願前に頒布された特開２００５−１７８３４８号公報（以下、「引用例」という。）には、以下の（ア）、（イ）の記載が図示と共にある。 
　
（ア）「【請求項１】
　記録ヘッドよりインクを吐出して記録を行うインクジェット記録装置に着脱自在に構成され、そのインクジェット記録装置側に設けられた流路と連通するインクカートリッジにおいて、
　インクを貯留するインク室と、
　そのインク室と連通して設けられた連通室と、
　インクカートリッジが前記インクジェット記録装置に装着されることにともない移動可能な弁部材と、
　その弁部材の一方の面のほぼ中央部分を露出させる開口を有しかつその開口の外周において前記弁部材と当接する弁座部、及び、その弁座部の外周から前記インク室側に立ち上がりかつ前記弁部材の一方の面と反対側部分に当接するように内側に張り出し前記弁部材を弁座部に当接させる方向に付勢する付勢部を、ゴム状の弾性材料で一体に製作して有し、前記連通室内に配設された支持部材とを備え、
　前記弁部材は、前記支持部材の弁座部と付勢部との間に保持され、インクカートリッジが前記インクジェット記録装置に装着されることにともない、前記弁部材が前記付勢部の付勢に抗して移動されて、前記弁座部から離れ、前記インク室と前記流路とが連通することを特徴とするインクカートリッジ。
【請求項２】
　前記弁部材は、前記インクジェット記録装置と前記弁部材とのいずれか一方から他方に向けて突出して設けられた操作部材により、インクカートリッジが前記インクジェット記録装置に装着されることにともない、前記弁座部から離れる方向に押されることを特徴とする請求項１に記載のインクカートリッジ。
【請求項３】
　前記操作部材は、前記インクジェット記録装置から突出して設けられた中空部材であって、その内部流路が前記インクジェット記録装置側の流路と連通して形成され、インクカートリッジが前記インクジェット記録装置に装着されたとき、その中空部材の内部流路が前記インク室と前記インクジェット記録装置側の流路と連通させることを特徴とする請求項２に記載のインクカートリッジ。
【請求項４】
　前記支持部材は、インクカートリッジが前記インクジェット記録装置に装着されることにともない、前記中空部材をその内周に密着して嵌合させるシール手段を、前記弁座部から前記付勢部とは反対側に一体に突出して有することを特徴とする請求項３に記載のインクカートリッジ。」
　
（イ）「【００９７】
　なお、図２の弁装置２３と連通室３０との固着部を拡大して示した拡大図に示したように、段状面４４の取付部３３ａと対向する面に突起４３が形成され、ケース本体１ａの連通室３０の開口部周囲には、保持壁４２が外側に突起して連接されている。この保持壁４２は、弁装置２３を連通室３０に挿入した後に、保持壁４２を熱により取付部３３ａ側に屈曲して、取付部３３ａを段状面４４に押圧して当接させ、弁装置２３を連通室３０内に固着するものである。これにより、弁装置２３の外周壁３３と連通室３０の内壁との間に形成される空間からインクが流出することを防止している。
　【００９８】
　弁座部４６ａはその中央に前記軸線方向に貫通した開口４１を有する。円筒部３５は、インクカートリッジ１が装着部３に装着されたとき、インク抽出管１２に対してシール手段を形成するもので、インク抽出管１２が挿入される誘導路４０を有し、その誘導路４０を開口４１と連通した状態で弁座部４６ａから一体に連接されている。弁座部４６ａに当接した弁部材３２は、開口４１、誘導路４０を通して外部に露出し、挿入されたインク抽出管１２と対向することができる。誘導路４０は、挿入されたインク抽出管１２と密着するようにその内径をインク抽出管１２の外径よりも小さく形成され、開口４１は、誘導路４０の内径よりも大きくかつインク抽出管１２の外径よりも大きく形成されている。誘導路４０のインク抽出管１２の挿入側端部は、外方に向け拡大するテーパ形に形成されている。
　【００９９】
　円筒部３５と外周壁３３との間は、環状の溝３４によって隔てられ、外周壁３３に対して円筒部３５が誘導路４０の中心軸線方向と直交する面内で弾性変形可能とされている。これにより、誘導路４０へインク抽出管１２の挿入にともない円筒部３５が拡径（図５の矢印Ｙ方向）しやすくし、誘導路４０とインク抽出管１２との密着性を良くしてインク漏れを防止することができる。また、誘導路４０に対してインク抽出管１２が傾斜あるいはずれて挿入されても、円筒部３５の変形により、誘導路４０へインク抽出管１２の挿入を可能にしている。さらに誘導路４０へインク抽出管１２の挿入にともない、誘導路４０の内壁部が弁部材３２側に若干押されながら弾性変形するが、その変形は径の大きい開口４１内の空間で吸収され、弁部材３２がその変形した誘導路４０の内壁部により押されることがない。」
　
　上記（ア）の【請求項３】にいう、インクジェット記録装置に装着されたとき、その内部流路がインク室とインクジェット記録装置側の流路と連通させる中空部材は、上記（イ）の【００９８】では「インク抽出管１２」と表現されている。
　上記（イ）の【００９８】には、「円筒部３５は、インクカートリッジ１が装着部３に装着されたとき、インク抽出管１２に対してシール手段を形成するもので、インク抽出管１２が挿入される誘導路４０を有し」、「誘導路４０は、挿入されたインク抽出管１２と密着するようにその内径をインク抽出管１２の外径よりも小さく形成され」、とあり、上記（イ）の【００９９】には、「円筒部３５が誘導路４０の中心軸線方向と直交する面内で弾性変形可能とされている。これにより、誘導路４０へインク抽出管１２の挿入にともない円筒部３５が拡径（図５の矢印Ｙ方向）しやすくし、誘導路４０とインク抽出管１２との密着性を良くしてインク漏れを防止することができる。」とあることから、円筒部３５は、「インク抽出管１２」に対して密接するパッキング作用を担っている。
　よって、円筒部３５を有する「支持部材４６」、「支持部材４６」内に収納された「弁部材３２」とを合わせた「弁装置２３」は、「インク抽出管１２」の「パッキン」といえる。
　そして、「パッキン」たる「弁装置２３」は、上記（ア）の【請求項１】の記載によれば、連通室３０内に配設される。
　
　上記（イ）の【００９７】によれば、「弁装置２３」は、インクカートリッジ１のケース本体１ａの連通室３０の開口部周囲に連接する保持壁４２を熱により取付部３３ａ側に屈曲することで連通室３０内に固着される。
　そして、【図２】からは、屈曲後の保持壁４２が連通室の内方に張り出していることが看取される。
　
　以上のことから、上記（ア）、（イ）の記載を含む引用例には、次の発明が記載されていると認めることができる。 
「インクカートリッジに設けられた連通室内にインク抽出管に対して密接するパッキンを保持するための保持構造であって、
　前記連通室の開口部周囲に連接する保持壁を熱により屈曲させることにより形成されており、連通室の内方に張り出す保持部を含む、保持構造。」（以下、「引用発明」という。）
　 　
（３）対比 
　引用発明の「インクカートリッジ」は、熱可塑性樹脂か否かは定かでないものの、インクカートリッジである点で、本願補正発明の「インクカートリッジ」と共通している。
　引用発明の「連通室」、「インク抽出管」は、それぞれ、本願補正発明の「インク吐出部の孔」、「インク供給針」に相当する。
　そして、引用発明のインクカートリッジにおいて（「インク吐出部の孔」に相当する）連通室を囲む部分は、熱可塑性樹脂か否かは定かでないものの、「インク吐出部の孔」（連通室）を囲み、「パッキン」が収納される点で、本願補正発明の「熱可塑性樹脂のインク吐出部」と共通している。
　
　引用発明の「屈曲後の保持壁」は、熱による変形させられ、「パッキン」を「インク吐出部の孔」（連通室）内に保持する点で、本願補正発明の「前記インク吐出部全周の先端を軟化させ内径側に成長変形せしめることにより形成されており、その孔の内方に張り出す保持部」と共通している。
　そして、引用発明の「屈曲前の保持壁」は、周状に設けられているか否か、及び屈曲による変形がその先端でなされるか否かは定かでないものの、変形後に「パッキン」を「インク吐出部の孔」（連通室）内に保持する点で、本願補正発明の「前記インク吐出部全周の先端」と共通している。
　してみれば、本願補正発明と引用発明とは、以下の点で一致し、以下の点で相違する。
　
＜一致点＞ 
「インクカートリッジに設けられたインク吐出部の孔内にインク供給針に対して密接するパッキンを保持するための保持構造であって、
　前記インク吐出部周囲を内径側に変形せしめることにより形成されており、その孔の内方に張り出す保持部を含む、保持構造。」
　　
＜相違点＞ 
(相違点１)
　本願補正発明は、「インクカートリッジ」及び「インクカートリッジに設けられたインク吐出部」が、ともに熱可塑性樹脂と特定されているに対して、引用発明は該特定を有しない点。
  
(相違点２)
　本願補正発明は、「保持部」が「前記インク吐出部全周の先端を軟化させ内径側に成長変形せしめることにより形成されており」と特定されるのに対して、引用発明は前記特定を有しない点。 
 
（４）判断 
(相違点１)について
　インクカートリッジ（外装部分も各構成要素部分も）の材質として熱可塑性樹脂を採用することはありふれた設計である。
　また、引用発明では、インクカートリッジの構成要素部分である保持壁は熱により屈曲されるのであるが、熱により屈曲される材質として熱可塑性樹脂はもっとも一般的なもののひとつである。
　よって、引用発明において、本願補正発明の相違点１に係る構成を備えることは、引用例の記載及び技術常識に基づいて当業者が容易に想到し得ることである。
　
(相違点２)について
　ある部材を、その部材を囲みその部材の外周部分と係合する保持部材により保持する場合、保持部材の該係合部分全周の先端を軟化させ内径側に成長変形せしめることにより保持することは周知技術である。
　例えば、本願の出願前に頒布された、特開２００１−３５００７４号公報、特開昭６３−２０６７１４号公報を挙げることができる。
　前者には、
【００１４】に「レンズホルダ１１には従来と同様、円形のレンズ取付孔１２が設けられるが、このレンズ取付孔１２の周縁にはレンズホルダ１１の上面から僅かに突出するリング状の突起部１３が全周に形成されている。」、
【００１６】に「レンズ取付孔１２の周縁に設けた突起部１３を加熱しながら押し潰し、レンズ１４のかしめしろ１５に熱かしめする」、
【００１８】に「突起部１３の頂部が内側に押し潰され、レンズ１４の周囲に設けられたかしめしろ１５を全周に亘って均一なかしめ力で押さえ付けて、レンズ１４を固定する。」、
との記載があるから、レンズホルダ１１の全周にあるリング状の突起部１３の頂部（つまり先端）を加熱しつつ内側に押し潰すことでレンズ１４を固定することが記載されていることになる。
　後者には、
　「カシメ部の内周面にほぼ周方向に延在する溝」（第２ページ右上欄第２，３行）、「 環状の熱カシメ部」（第２ページ左下欄第１行）、
とあるから、カシメ部は全周に亘って存在し、
　「 上述の傾斜部１１ｂを設けると、カシメ部１１にコテ３を当てがって押圧するときに１両者の接触位置が半径方向のより内側に来るので（第１図に見られる半径Ｒ１とＲ１との差によって生じる）、レンズ２上面へのカシメ・部１１の端部のかぶさりがより円滑に行なわれる。」（第２ページ右下欄第１１〜１７行）、
とあるから、かしめ部はその先端が軟化させられ内径側に成長変形せしめられる。
　また、「レンズ鏡筒１は、熱可塑性の合成樹脂材料でできている」（第２ページ右上欄第１６，１７行）、
とあるから、レンズ鏡筒１及びその一端部に設けられた熱かしめ部は熱可塑性樹脂からなる。
　よって、引用発明において、本願補正発明の相違点２に係る構成を備えることは、引用例の記載及び周知技術に基づいて当業者が容易に想到し得ることである。
　
　以上のことから、引用発明において、本願補正発明の相違点１及び相違点２に係る構成を備えることは、引用例の記載、技術常識、及び、周知技術に基づいて、当業者が容易に想到し得ることであり、そのことによる効果も予想し得る程度のものである。
　
　したがって、本願補正発明は、引用発明、引用例の記載、技術常識、及び周知技術に基づいて、当業者が容易に発明をすることができたものであるから、特許法第２９条第２項の規定により、特許出願の際独立して特許を受けることができない。 
 　 
　本願補正発明は、特許出願の際独立して特許を受けることができないものであるから、平成１８年法律第５５号改正附則第３条第１項によりなお従前の例によるとされる同法による改正前の特許法第１７条の２第５項において準用する同法第１２６条第５項に規定する要件を満たしていない。
　
４．本件補正についてのむすび 
　上記「３．独立特許要件について」に記載のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について 
１．本願発明の認定 
　平成１８年４月３日付けの手続補正は上記のとおり却下されたので、本願の請求項１に係る発明は、平成１７年１２月２６日付けで補正された特許請求の範囲の請求項１に記載された事項によって特定される次のとおりのものと認める。
「　【請求項１】
　熱可塑性樹脂のインクカートリッジに設けられたインク吐出部の孔内にインク供給針に対して密接するパッキンを保持するための保持構造であって、
　前記インク吐出部の前記パッキンを保持する先端部自体を軟化させることにより形成され、その孔の内方に張り出す保持部を含む、保持構造。」（以下、本願発明という。）
　
２．引用例の記載
　原査定の拒絶の理由に引用された引用例，及びその記載事項は、上記「第２　平成１８年４月３日付けの手続補正についての補正却下の決定　３．独立特許要件について　（２）引用例記載内容の認定」に記載したとおりである。
 　 
３．対比・判断
　本願発明は、上記「第２　平成１８年４月３日付けの手続補正についての補正却下の決定　３．独立特許要件について」で検討した本願補正発明の発明特定事項から、以下（ａ）、（ｂ）の限定を省いたものに相当する。
　
（ａ）「インク吐出部」の材質を、熱可塑性樹脂に限定する。
　
（ｂ）インク吐出部の孔の内方に張り出す「保持部」の形成の仕方を、補正前には「前記インク吐出部の前記パッキンを保持する先端部自体を軟化させることにより形成され」であったのを、補正後には「前記インク吐出部全周の先端を軟化させ内径側に成長変形せしめることにより形成されており」とすることで、軟化させられる位置が先端全周である点と変形が内径側への成長変形である点を限定する。　
　
　すると、本願発明の構成要件をすべて含み、さらに他の構成要件を付加したものに相当する本願補正発明が、上記「第２　平成１８年４月３日付けの手続補正についての補正却下の決定　３．独立特許要件について」に記載したとおり、引用発明、引用例の記載、技術常識、及び、周知技術に基づいて、当業者が容易に発明をすることができたものであるから、本願発明も、同様の理由により、引用発明、技術常識、及び、周知技術に基づいて、当業者が容易に発明をすることができたものである。
 　 
４．むすび 
　以上のとおり、本願発明は、引用発明、引用例の記載、技術常識、及び、周知技術に基づいて、当業者が容易に発明をすることができたものであるから、特許法第２９条第２項の規定により特許を受けることができない。 
　したがって、本願出願のその余の請求項に係る発明について検討するまでもなく、本願は拒絶を免れない。 
　よって、結論のとおり審決する。